(57)【要約】【課題】    フェンス体と隣接するブロック塀の端部に端部ブロックを用いなくても、外観を悪化することなくブロック塀にフェンス体を取付けることができると共に、ブロック壁面に生じる雨染を防ぐことのできるブロック塀用フェンス体を提供する。【解決手段】    フェンス体１の周囲にブロック塀Ｈの端面Ｈ１を覆い隠す枠体１１を設け、枠体１１内に格子体を配設し、格子体を形成する格子部材１２の前後方向における厚みがブロック塀Ｈの厚みと略同じとし、該枠体１１をブロック塀Ｈの端面Ｈ１に重合して固定する。【選択図】        図１
2006328774.tif 000002
【特許請求の範囲】
【請求項１】
ブロック塀に連設固定されるフェンス体であって、該フェンス体は周囲にブロック塀の端面を覆い隠す枠体を有し、該枠体をブロック塀の端面に重合して固定したことを特徴とするブロック塀用フェンス体。
【請求項２】
枠体はブロック塀の端面の厚みより大きな幅を有することを特徴とする請求項１に記載のブロック塀用フェンス体。
【請求項３】
枠体はブロック塀の端面に外嵌する断面略コ字状としたことを特徴とする請求項１に記載のブロック塀用フェンス体。
【請求項４】
枠体内に格子体が配設され、格子体を形成する格子部材の前後方向における厚みがブロック塀の厚みと略同じとしたことを特徴とする請求項１乃至３の何れかに記載のブロック塀用フェンス体。
【発明の詳細な説明】
【技術分野】
【０００１】
この発明は、ブロック塀に連設固定するフェンス体であって、ブロック塀に形成した開口部またはブロック塀の上部あるいは側端部に固定して使用される。
【背景技術】
【０００２】
従来、ブロック塀の中間位置に形成した切欠部、あるいはブロック塀の上部に取付けたフェンス体が知られている。
【０００３】
特許文献１には、ブロック塀の中間位置に切欠部を形成し、この切欠部に固定したブロックフェンスが開示されている。特許文献１のブロックフェンスは、フェンス本体の周囲に横枠、縦枠を配設し、この横枠、縦枠から支持脚あるいは水平保持部材を突出させ、支持脚、水平保持部材をブロック塀の端面に埋め込んだものである。そして、横枠、縦枠がブロック塀切欠部の端面から一定の間隔を設けた状態とし、フェンス本体がブロック塀に固定される。
【０００４】
さらに、特許文献２には、ブロック塀の上部に設置するフェンスが開示されている。特許文献２のフェンスは、フェンス体の下部に断面コ字状の壁取付部を設け、この壁取付部をブロック塀の上部に嵌合してフェンス体を取付けたものである。
【０００５】
通常ブロックには、端面に鉄筋を通す貫通孔あるいは窪みが形成された基本ブロックと、端面に貫通孔等が露出しない端部ブロックとがある。基本ブロックによって端部を除いた主要部を形成し、端部ブロックによって主要部の回りの端部が仕上げられ、ブロック塀が形成される。
【０００６】
特許文献１，２においては、フェンス体とブロック塀の端面との間に一定の距離を置いているので、フェンス体の周囲に基本ブロックを配設したのでは、貫通孔等が目視され、外観の悪化を招く。従って、フェンス体の周囲には、貫通孔等が端面に露出しない端部用ブロックが用いられる。
【０００７】
一般的に化粧ブロックにおいては、基本ブロックよりも端部ブロックの方が化粧面積が大きいため高価となり、端部ブロックの数が増えると、ブロック塀のコストアップを招く。さらに、ブロック塀を施工する際に基本ブロックと端部ブロックを適当数用意しておかなければならず、施工作業が煩雑となるものであった。
また、端部ブロックの上面に雨水が降り注ぎ、この雨水は端部ブロックの表面を伝って流れ落ちるため、端部ブロックの表面に雨染が発生し、外観の悪化を招くものであった。
【０００８】
【特許文献１】実開昭５７−１３９５５３号公報
【特許文献２】特開２００１−９０３９７号公報
【発明の開示】
【発明が解決しようとする課題】
【０００９】
本発明の目的は、フェンス体と隣接するブロック塀の端部に端部ブロックを用いなくても、外観を悪化することなくブロック塀にフェンス体を取付けることができると共に、ブロック壁面に生じる雨染を防ぐことのできるブロック塀用フェンス体を提供することにある。
【課題を解決するための手段】
【００１０】
本発明者は、このような事情に鑑み鋭意検討を重ねた結果、ブロック塀に連設固定されるフェンス体であって、フェンス体の周囲にブロック塀の端面を覆い隠す枠体を設け、該枠体をブロック塀の端面に重合して固定したことによって、所期の目的を達成したものである。
【００１１】
請求項２に記載の発明は、枠体はブロック塀の端面の厚みより大きな幅を有することにより、ブロック塀の表面に鏝塗り化粧材等を塗布する際、フェンス体周囲における塗面の端部処理を簡単に行なうことができる。
【００１２】
請求項３に記載の発明は、枠体はブロック塀の端面に外嵌する断面略コ字状としたことにより、ブロック塀に対するフェンス体の位置決めを簡単に行なうことができ、ブロックの端面を確実に覆い隠すことができる。
【００１３】
請求項４に記載の発明は、枠体内に格子体が配設され、格子体を形成する格子部材の前後方向における厚みがブロック塀の厚みと略同じとしたので、ブロック塀と一体感のあるフェンス体とすることができる。
【発明の効果】
【００１４】
本発明のブロック塀用フェンス体によれば、フェンス体の周囲にブロック塀の端面を覆い隠す枠体を設け、該枠体をブロック塀の端面に重合させたので、フェンス体の周りに基本ブロックを配置しても、基本ブロックの貫通孔等を覆い隠すことができ、高価な端部ブロックを用いなくても美観を損ねることなくブロック塀の施工コストを抑えることができる。
また、フェンス体の枠体によってブロック塀の端面が覆い隠されているので、ブロック塀の端面に雨水が降り注ぐのを防ぎ、ブロック塀の表面に発生する雨染を抑えることができる。
【発明を実施するための最良の形態】
【００１５】
以下、本発明を実施するための最良の形態を実施例に基づき説明する。
図１乃至図３は本発明ブロック塀用フェンス体の第一実施例であり、フェンス体１は複数の基本ブロックＢを積み上げて形成したブロック塀Ｈの切欠部Ｘの位置に配設されている。フェンス体１は矩形状に枠組みされた枠体１１と、枠体１１内に配設された格子体を形成する複数の縦格子部材１２とから構成されている。枠体１１と縦格子部材１２は、共にアルミニウム製形材によって形成されている。枠体１１は断面略コ字状を呈しており、フェンス体１の周囲を形成するブロック塀１の端面Ｈ１に外嵌している。よって、図１に示したとおり、フェンス体１の周囲に隣接する基本ブロックＢの貫通孔Ｂ１、即ちブロック塀Ｈの端面Ｈ１は、枠体１１によって覆い隠される。
【００１６】
ブロック塀Ｈの上端とフェンス体１の上端には、笠木２が架設され、ブロック塀Ｈの上端面Ｈ２とフェンス体１の上端面１３を覆い隠している。なお、笠木２もアルミニウム製形材によって形成されている。
フェンス体１の横方向の長さは、ブロックＢ二個分の長さと略等しく、高さもブロックＢ二個分の高さと略等しく形成されている。フェンス体１の大きさは任意の大きさとすることができるが、ブロック塀Ｈに連設固定するものなので、施工作業性の点においてブロックＢの整数倍となる長さ、高さに形成することが好ましい。
【００１７】
本実施例フェンス体１の枠体１１は断面略コ字状を呈し、ブロック塀Ｈの端面Ｈ１に外嵌しているので、ブロック塀Ｈに対するフェンス体１の位置決めを簡単に行なうことができる。また、縦格子部材１２の幅はブロック塀Ｈの厚みと略同じとしているので、フェンス体１はブロック塀Ｈと一体的な外観を呈するものである。
【００１８】
フェンス体１をブロック塀Ｈに固定する方法としては、フェンス体１の枠体１１にブロックＢの貫通孔Ｂ１に挿入するアンカー部材を設け、貫通孔Ｂ１内に挿入したアンカー部材をモルタルを用いて固定する方法、あるいは枠体１１の外周中央位置に突条を形成し、これをモルタルによってブロック塀Ｈの端面Ｈ１に固定する方法等が挙げられる。
【００１９】
次に図４乃至図６は本発明ブロック用フェンス体の第二実施例である。なお、第二実施例において第一実施例と同じ部分については同一符号を用い、その説明は省略する。第二実施例において第一実施例と異なる点は、枠体１１の断面形状である。第一実施例においては断面略コ字状としてブロック塀Ｈの端面Ｈ１に外嵌していたのに対し、第二実施例においては、断面略Ｃ字状であり、枠体１１はブロック塀Ｈの端面Ｈ１に外嵌せず、枠体１１の外側面をブロック塀Ｈの端面Ｈ１に外接させた点である。
【００２０】
第一実施例のようにブロック塀Ｈの端面Ｈ１に外嵌する構成であれば、化粧ブロックのように表面に凹凸模様が形成されていると、凹部が形成された箇所では枠体１１とブロックＢの表面に隙間が発生し、凸部が形成された箇所においては、ブロック塀Ｈの端面Ｈ１に外嵌できないなどの不具合が生じる可能性がある。
しかしながら、第二実施例のフェンス体１であれば、ブロック塀Ｈの端面Ｈ１に外嵌せず、重合するだけなので、化粧ブロック表面の凹凸模様に関係無く、ブロック塀Ｈの端面Ｈ１を確実に覆い隠すことができる。
【００２１】
枠体１１の幅はブロック塀Ｈの端面Ｈ１の幅と略同じとすれば、ブロック塀との段差が生じないので、一体的な外観とすることができるが、ブロック塀の端部に露出する貫通孔Ｂ１が覆い隠されるのであれば、ブロック塀Ｈの幅より小さくても構わない。
枠体１１の外側面がブロック塀Ｈの端面に外接しているが、ブロック塀Ｈの端面Ｈ１と枠体１１の外側面との間に数ミリ程度の隙間が生じても、コーキング剤等を充填すれば良い。
【００２２】
次に図７は本発明ブロック用フェンス体の第三実施例である。第二実施例と同じ部分については同一符号を用い、その説明は省略する。第三実施例において第二実施例と異なる点は、枠体１１の幅Ｗ１がブロックＢの厚みＷＢよりも大きく形成した点である。本実施例においては、ブロック塀Ｈの表面に鏝塗り塗材を塗布する際、枠体１１周縁部の塗布仕上げを簡単に行なうことができる。ブロックＢ表面からの枠体１１の突出量は５ｍｍ程度とし、ブロック塀Ｈとフェンス体１の一体感を損なわない程度とすべきである。
【００２３】
上記第一乃至三実施例においては、ブロック塀Ｈの端面Ｈ１がフェンス体１の枠体１１によって覆い隠されているので、基本ブロックＢの貫通孔Ｂ１は枠体１１によって覆い隠され、外観を良好なものとすることができ、雨水は直接ブロック塀Ｈの端面Ｈ１に降り注がないので、雨染みの発生による美観の低下を抑えることができる。
また、フェンス体１の枠体１１をブロック塀Ｈの端面Ｈ１に重合する方法としては、第一実施例のように外嵌したり、第二実施例のように外接する方法等であるが、ブロック塀Ｈの端面Ｈ１が枠体１１によって覆い隠すことができるのであれば、種々の方法を採用することができる。フェンス体１の枠体１１内部には格子体を配設したが、板状のパネル体を配設しても構わない。
【００２４】
図８は本発明ブロック塀用フェンス体の適用例を表わし、（Ａ）はブロック塀Ｈの上部全域に設けたもの、（Ｂ）は離間したブロック塀の間に設けたもの、（Ｃ）はブロック塀Ｈの切欠部に十字格子部材のフェンス体を設けたもの、（Ｄ）はブロック塀の端部に門柱として設けたものである。なお、これらのフェンス体１の格子体を形成する格子部材の幅は、ブロック塀Ｈの幅と略同じにしている。
【図面の簡単な説明】
【００２５】
【図１】本発明ブロック塀用フェンス体の取付け状態を表わす分解図
【図２】本発明ブロック塀用フェンス体の取付け状態を表わす全体図
【図３】本発明ブロック塀用フェンス体の取付け状態を表わす横断面図
【図４】本発明ブロック塀用フェンス体の取付け状態を表わす縦断面図
【図５】本発明ブロック塀用フェンス体の第二実施例における取付け状態を表わす横断面図
【図６】本発明ブロック塀用フェンス体の第二実施例における取付け状態を表わす縦断面図
【図７】本発明ブロック塀用フェンス体の第三実施例における取付け状態を表わす縦断面図
【図８】本発明ブロック塀用フェンス体の適用例を表わす正面図
【符号の説明】
【００２６】
１      フェンス体
１１      枠体
１２      格子部材
Ｂ      ブロック
Ｈ      ブロック塀
Ｈ１      ブロック塀の端面
【図１】
2006328774.tif 000003
【図２】
2006328774.tif 000004
【図３】
2006328774.tif 000005
【図４】
2006328774.tif 000006
【図５】
2006328774.tif 000007
【図６】
2006328774.tif 000008
【図７】
2006328774.tif 000009
【図８】
2006328774.tif 000010